【事件の表示】
　特願２０１５−１６７５５９号「遊技機」拒絶査定不服審判事件〔平成２９年　３月　２日出願公開、特開２０１７−　４２３９５号〕について、次のとおり審決する。
【結　論】
　本件審判の請求は、成り立たない。
【理　由】
第１　手続の経緯
　本件に係る出願（以下「本願」という。）は、平成２７年８月２７日の出願であって、平成３１年２月２１日に手続補正書が提出され、同年４月２２日付けで拒絶の理由が通知され、令和１年８月７日に意見書及び手続補正書が提出され、同年１２月２７日付けで拒絶の理由が通知され、令和２年２月２５日に意見書及び手続補正書が提出されたところ、同年３月４日付け（送達日：同年同月９日）で拒絶査定（以下「原査定」という。）がなされ、それに対して、同年５月１５日に拒絶査定不服審判の請求がなされたものである。
第２　本願発明
　本願の請求項１に係る発明は、令和２年２月２５日に提出された手続補正書により補正された特許請求の範囲の請求項１に記載された事項によって特定されるものであるところ、その請求項１に係る発明（以下「本願発明」という。）は、以下のとおりのものである（なお、記号ＡないしＦは、分説するため合議体が付した。記号Ａ等が付された事項を以下「特定事項Ａ」等という。）。
「Ａ　所定の遊技が行われる遊技領域が形成される遊技盤と、
　Ｂ　前記遊技盤が装着される本体枠と、
　Ｃ　前記本体枠に開閉可能に設けられる扉枠と、
　Ｄ　前記扉枠に設けられ、前記遊技領域で遊技を行うための遊技媒体が貯留される上皿本体と、
　Ｅ　底壁部と立壁部とで貯留領域を形成し、所定の供給口から遊技媒体が前記貯留領域へ流入可能に前記扉枠に設けられる下皿本体と、
　を備え、
　Ｅ１　前記下皿本体は、第１下皿部と前記第１下皿部と一体的に設けられる第２下皿部とを有し、
　Ｅ２　前記第１下皿部は、前記扉枠の開閉状態にかかわらず前記扉枠前方に臨んで、少なくとも前記扉枠が閉じられた状態では遊技者が遊技機前方から視認容易な領域が形成され、
　Ｅ３　前記第２下皿部における前記第１下皿部と反対側端の端部底壁部および端部立壁部は、前記扉枠の開閉状態にかかわらず遊技機前方に臨まないように構成され、
　Ｅ４　前記底壁部のうちの前記立壁部と接しない位置に、前記下皿本体から遊技球を下方へ排出させる下皿球抜き孔が形成され、
　Ｅ５　前記第２下皿部における前記第１下皿部と反対側の前記端部底壁部には、前記下皿球抜き孔方向へ下り傾斜する傾斜底面が形成され、
　Ｅ６　前記端部立壁部の前記貯留領域側と反対側の面は前記扉枠の開閉状態にかかわらず遊技機外部に露出しないように構成されている
　Ｆ　ことを特徴とする遊技機。」
　
第３　拒絶査定の拒絶の理由の概要
　原査定の拒絶の理由は、概略、次のとおりである。
（進歩性）この出願の請求項１に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
＜引用文献等一覧＞
１．特開２０１４−３３６９２号公報
２．特開２０１０−３５８１１号公報（周知技術を示す文献）
３．特開２００９−２８３９０号公報（周知技術を示す文献）
４．特開２００７−５０１６５号公報（周知技術を示す文献）
５．特開２０１３−１１６１６９号公報（周知技術を示す文献）
　令和２年２月２５日付け手続補正書による補正後の請求項１に係る発明は、引用文献１に記載された発明、引用文献２、３等に記載された周知技術及び引用文献４、５等に記載された周知技術に基づいて、当業者が容易にその発明をすることができたものである。
第４　引用例の記載、引用発明及び周知技術
１　引用例
　原査定の拒絶の理由に引用文献１として引用され、本願の出願前に頒布された特開２０１４−３３６９２号公報（平成２６年２月２４日公開）（以下「引用例」という。）には、遊技機（発明の名称）に関し、次の事項が図とともに記載されている。なお、下線は合議体が付した。以下同じ。
（１）「【技術分野】
【０００１】
　本発明は、遊技機前面のデザイン構造に関する。
【背景技術】
【０００２】
　従来から、遊技機の前面枠にガラス枠が取り付けられ、さらにそのガラス枠の下部側に上皿ユニットが一体となって設けられる遊技機（例えば、パチンコ機）が知られている（特許文献１参照）。
【０００３】
　また、遊技装置として遊技球を複数の通路に振り分ける振り分け手段を遊技盤に備え、マジックミラーを利用して遊技者に振り分け手段を視認可能にすることで演出効果を高めるものがある（特許文献２参照）。
　・・・略・・・
【発明が解決しようとする課題】
【０００５】
　しかしながら、特許文献１や特許文献２に記載の遊技機は画一的で面白みがなく、遊技者は飽きていた。
【０００６】
　本発明は、上記した問題点に鑑みてなされたものであり、斬新なデザインの遊技機を提供することを目的とする。」
（２）「【発明を実施するための形態】
【００１１】
　以下、本発明の実施の形態について、図面を参照しながら説明する。なお、遊技機１の説明における前後左右とは、遊技中の遊技者から見た方向を指すものとする。
【００１２】
　〔遊技機全体図〕
　まず、図１及び図２を参照して、本発明の第１の実施の形態の遊技機１について説明する。図１は、本発明の第１の実施の形態の前面枠及びクリア部材保持枠を閉じた状態の遊技機の斜視図である。図２は、本発明の第１の実施の形態の遊技機の下側部分の正面図である。
【００１３】
　図１及び図２に示すように、
遊技機１
【００１４】
　
前面枠４には、遊技領域３１を有する遊技盤３０
が交換可能に配設されるとともに、遊技盤３０の前面を覆うクリア部材５ａを備えたクリア部材保持枠５が取り付けられる
（３）「【００２２】
　
クリア部材保持枠５の下部には、前面枠４の下部に設置される上皿ユニット１０や遊技装置１００を覆うカバーユニット１５０が取り付けられている
【００２３】
　
上皿ユニット１０には、遊技球を貯留可能な上皿１１が形成されている
（４）「【００３２】
　
上皿ユニット１０よりも下方の前面枠４には、
遊技球を貯留可能な下皿（貯留皿）１５
が設けられている
【００３３】
　操作ハンドル１４は、前面枠４の右下部であって、右側の下スピーカー７ｂの下方に配置されている。遊技者が操作ハンドル１４を回動操作することによって、球発射装置は上皿１１から供給された遊技球を遊技盤３０の遊技領域３１（図３参照）に発射する。球発射装置から発射される遊技球の発射速度は、操作ハンドル１４の回動操作量が大きくなるほど速くなるように設定されている。
【００３４】
　下皿１５は、上皿１１に対して所定の間隔をあけて、上皿１１の下方に配置されている。下皿１５は、当該下皿１５の底面を上下方向に貫通する球抜き穴１５ａ（図２参照）と、球抜き穴１５ａを開閉するための開閉操作部１５ｂと、を有している。球抜き穴１５ａは、遊技機１の左右方向（幅方向）の中央に位置するように、下皿１５の底面に設けられている。
【００３５】
　そして、遊技者が開閉操作部１５ｂを操作して、球抜き穴１５ａを開くことによって、下皿１５に貯留されていた遊技球を球抜き穴１５ａを通じて外部に排出することができる。また、球抜き穴１５ａを遊技機１の左右方向中央に配置するので、遊技機１に各台計数機を備えることもできる。
【００３６】
　
上皿ユニット１０の上皿１１及び演出操作部１２と下皿１５との間には、遊技装置１００を収容可能な収容スペース１７
が形成されており
遊技装置１００は、収容スペース１７に収容された状態で、前面枠４の前面下部に
取り付けられる
遊技装置１００とは、遊技の進行状態に応じて使用される演出装置である
（５）「【０３３０】
　〔カバーユニットの構造〕
　図２５に示すように、
カバーユニット１５０は、クリア部材保持枠５の下部に固定されるフレームベース１５１と、フレームベース１５１に嵌め込まれるカバー部材１５２と、を備える。
【０３３１】
　フレームベース１５１は、上面に形成された開口１５１ａと、前面に形成された開口１５１ｂと、を有している。フレームベース１５１は、カバー部材１５２の縁部分を縁取るような形状に構成されている。ここで、カバー部材１５２は前述したように樹脂によって形成された透明部材であって、フレームベース１５１の裏面側に取り付けられる。このようなフレームベース１５１にカバー部材１５２を取り付けることで、カバー部材１５２の強度を高めることが可能となる。
【０３３２】
　また、フレームベース１５１の表面には、フレームベース１５１の装飾性を高めるためにメッキ加工が施されている。このように、フレームベース１５１は、カバー部材１５２を支持する支持部材として機能するだけでなく、装飾部材としても機能する。なお、フレームベース１５１は、メッキ加工されたものに限定されず、装飾性があればよい。
【０３３３】
　前面枠４及びクリア部材保持枠５の両方が閉じられている場合には、図１、図２及び図２６（Ａ）に示すように、遊技装置１００はフレームベース１５１及びカバー部材１５２によって覆われて保護された状態となる。このとき遊技装置１００は、開口１５１ａ及び開口１５１ｂに位置するカバー部材１５２越しに遊技者から視認可能となる。本発明の第１の実施の形態では、フレームベース１５１の上面に開口１５１ａを形成しているので、開口１５１ａのカバー部材１５２を介して、遊技中の遊技者も遊技装置１００を容易に視認することができる。
【０３３４】
　なお、クリア部材保持枠５のみが開放された場合には、図２４及び図２６（Ｂ）に示すように、クリア部材保持枠５の回動に伴ってカバーユニット１５０を構成するフレームベース１５１及びカバー部材１５２も回動するので、前面枠４に取り付けられている遊技装置１００が露出する。このようにクリア部材保持枠５を開くことによって、遊技装置１００にアクセスすることが可能となり、遊技装置１００のメンテナンスや取り替え等を容易に行うことができる。
【０３３５】
　また、図２４、図２６（Ｂ）及び図２７に示すように、
カバーユニット１５０のフレームベース１５１
フレームベース１５１の下部側である垂下部１５１ｃは、下皿１５の右端部分に対して上方から覆い被さるように構成されている
下皿１５の右端部分は、フレームベース１５１の垂下部１５１ｃにより遮蔽され
【０３３６】
　〔下皿の球出口〕
　図２６（Ａ）及び図２７に示すように、
下皿１５の後側壁１５ｃには、上皿１１から流下してきた遊技球を下皿１５に供給するための球出口１５ｄが形成されている
【０３３７】
　球出口１５ｄの前方にフレームベース１５１の垂下部１５１ｃがない場合には、流下勢の強い遊技球が球出口１５ｄから下皿１５内に流入したときに遊技球が下皿１５の前側壁を超えて飛び出し、遊技機１外に落下してしまう虞がある。しかしながら本発明の第１の実施の形態の遊技機１では、球出口１５ｄの前方にフレームベース１５１の垂下部１５１ｃが位置しているので、遊技球が下皿１５の前側壁から飛び出しても図２７に示す矢印のように遊技球は垂下部１５１ｃに衝突して下皿１５内に戻る。このため、下皿１５から遊技球が落下してしまうことがない。
【０３３８】
　また、
下皿１５の球抜き穴１５ａも、フレームベース１５１の垂下部１５１ｃの後方に位置するように配設されている
このように構成することで、球抜き穴１５ａをフレームベース１５１の垂下部１５１ｃで遮蔽することができ
（６）「【図２４】
　　
　　【図２５】
　　
　・・・略・・・
　　【図２７】
　　
」
（７）「【０４０９】
　（第１の実施の形態の変形例３）
　前述の第１の実施の形態における遊技装置１００（回転点灯器１１０）を収納する収容スペース１７は、図２５に示すように前面枠４側の前面下部に設けられている。これに対し、変形例３の収容スペース１７は、クリア部材保持枠５側に設けられる。
【０４１０】
　以下、本発明の第１の実施の形態の変形例３について図４３及び図４４を参照して説明する。
【０４１１】
　図４３は、本発明の第１の実施の形態の変形例３の収容スペース１７について説明する図であり、（Ａ）はカバーユニット１５０と下皿１５の右側面の概念図、（Ｂ）はカバーユニット１５０と下皿１５の上面の概念図、（Ｃ）はカバーユニット１５０、遊技装置１００及び上皿ユニット１０の分解斜視図である。
【０４１２】
　図４３（Ａ）に示すように変形例３の収容スペース１７は、クリア部材保持枠５の下部に固定されるフレームベース１５１を支持枠とするカバーユニット１５０側に設けられる。したがって、図４３（Ｃ）に示すように
遊技装置１００は、クリア部材保持枠５側に設けられる
【０４１３】
　なお、図４３（Ｂ）に示すように、変形例３の下皿１５は、球出口１５ｄがフレームベース１５１の垂下部１５１ｃの後方に位置する。このため、球出口１５ｄ部分の下皿１５の前後幅は他よりも狭い。図２６（Ａ）及び図２７で述べたように、球出口１５ｄの前方に垂下部１５１ｃの裏面が位置するように配設すれば、確実に球出口１５ｄから流下する遊技球を下皿１５内に留めておくことができる。そこで、フレームベース１５１の垂下部１５１ｃの前後幅を球出口１５ｄ部分の下皿１５の前後幅よりも優先して確保すればよい。」
（８）「【図４３】
　　　
」
（９）【００１４】（上記（２））の記載を考慮しつつ、図２４（上記（６））の記載をみると、
クリア部材保持枠５が、前面枠４に開閉自在に取り付けられ
　また、【０３３６】（上記（５））の記載を考慮しつつ、図２７（上記（６））の記載をみると、
下皿１５が底部と側壁とを有し、該側壁の
後側壁１５ｃ
底部には側壁と接しない位置に球抜き穴１５ａが形成され、底部が各側壁の箇所から球抜き穴１５ａに向かって傾斜している
（１０）上記（１）ないし（９）からみて、引用例には、次の発明が記載されている。なお、ａないしｆについては本願発明のＡないしＦに概ね対応させて付与し、引用箇所の段落番号等を併記した。
「ａ　遊技領域３１を有する遊技盤３０（【００１４】）と、
　ｂ　遊技盤３０が交換可能に配設されている前面枠４（【００１４】）と、
　ｃ　前面枠４に開閉自在に取り付けられ、遊技盤３０の前面を覆うクリア部材５ａを備えたクリア部材保持枠５（【００１４】、図２４、上記（９））と、
　ｄ　クリア部材保持枠５の下部であって、前面枠４の下部に設置される上皿ユニット１０に形成されている遊技球を貯留可能な上皿１１（【００２２】、【００２３】）と、
　ｅ　上皿ユニット１０よりも下方の前面枠４に設けられ、底部と側壁とを有し、該側壁の後側壁１５ｃに上皿１１から流下してきた遊技球が供給されるための球出口１５ｄが形成されている、遊技球を貯留可能な下皿１５（【００３２】、【０３３６】、図２７、上記（９））と、を備え、
　ｅ１−ｅ３、ｅ６　上皿ユニット１０の上皿１１と下皿１５との間に、遊技装置１００を収容可能な収容スペース１７が形成されていて、遊技装置１００が収容スペース１７に収容された状態で前面枠４の前面下部又はクリア部材保持枠５に取り付けられるものであって、遊技装置１００が遊技の進行状態に応じて使用される演出装置よりなるものであり（【００３６】、【０４１２】）、
　クリア部材保持枠５の下部に取り付けられるカバーユニット１５０（【００２２】）が、クリア部材保持枠５の下部に固定されるフレームベース１５１と、フレームベース１５１に嵌め込まれるカバー部材１５２とを備え（【０３３０】）、
　カバーユニット１５０のフレームベース１５１の下部側である垂下部１５１ｃが、下皿１５の右端部分に対して上方から覆い被さるように構成されていて、下皿１５の右端部分がフレームベース１５１の垂下部１５１ｃにより遮蔽され（【０３３５】）、
　下皿１５の球抜き穴１５ａが、フレームベース１５１の垂下部１５１ｃの後方に位置するように配設され、このように構成することで、球抜き穴１５ａはフレームベース１５１の垂下部１５１ｃで遮蔽され（【０３３８】）、
　ｅ４、ｅ５　下皿１５の底部には、側壁と接しない位置に球抜き穴１５ａが形成され、底部が各側壁の箇所から球抜き穴１５ａに向かって傾斜している（【０３３６】、図２７、上記（９））、
　ｆ　遊技機１（【００１３】）。」（以下「引用発明」という。）
２　周知例及び周知技術
（１）周知例１
　原査定の拒絶の理由に引用文献２として引用され、本願の出願前に頒布された特開２０１０−３５８１１号公報（平成２２年２月１８日公開）（以下「周知例１」という。）には、遊技機（発明の名称）に関し、次の事項が図とともに記載されている。
　ア　「【００１０】
　＜第１の実施の形態＞
　以下、遊技機の一種であるパチンコ遊技機（以下、「パチンコ機」という）の第１の実施の形態を、図面に基づいて詳細に説明する。図１はパチンコ機１０の正面図、図２及び図３はパチンコ機１０の主要な構成を展開して示す斜視図である。なお、図２では便宜上パチンコ機１０の遊技領域内の構成を省略している。
【００１１】
　
パチンコ機１０は
外殻を形成する外枠１１と、この外枠１１に対して前方に回動可能に取り付けられた遊技機本体１２とを有する
【００１２】
　
遊技機本体１２は、遊技機ベースユニット１３と、その遊技機ベースユニット１３の前方に配置される遊技機前面ユニット１４と、遊技機ベースユニット１３の後方に配置される裏パックユニット１５とを備えている
【００１３】
　
遊技機ベースユニット１３には
遊技機前面ユニット１４が回動可能に支持されており
　イ　「【００１５】
　＜パチンコ機１０の前面側の構成について＞
　次に、パチンコ機１０の前面側の構成について説明する。
【００１６】
　
遊技機ベースユニット１３は、外形が外枠１１とほぼ同一形状をなす樹脂ベース２１を主体に構成されている
樹脂ベース２１には遊技盤２３が着脱可能に取り付けられている
　・・・略・・・
【００２４】
　遊技機前面ユニット１４の構成について以下に説明する。かかる遊技機前面ユニット１４の説明に際しては図１及び図２を参照するとともに、図５を適宜参照する。図５は、図１のＡ―Ａ線部分の断面図である。なお、図５において、遊技機ベースユニット１３及び遊技盤２３の背面側の構成は、説明の便宜上、省略する。
【００２５】
　
遊技機前面ユニット１４は
ベース枠５１を備えており、当該ベース枠５１に対して各種部材が取り付けられて構成されている。
　・・・略・・・
【００３４】
　
ベース枠５１において窓部５２の下方には、上皿ユニット７１及び下皿ユニット７２が上下に並設されている
　ウ　「【図２】
　　　
」
（２）周知例２
　原査定の拒絶の理由に引用文献３として引用され、本願の出願前に頒布された特開２００９−２８３９０号公報（平成２１年２月１２日公開）（以下「周知例２」という。）には、遊技機（発明の名称）に関し、次の事項が図とともに記載されている。
　ア　「【発明を実施するための最良の形態】
【００６６】
　以下、遊技機の一種であるパチンコ遊技機（以下、「パチンコ機」という）の一実施の形態を、図面に基づいて詳細に説明する。図１はパチンコ機１０の斜視図、図２はパチンコ機１０を構成する外枠１１の斜視図、図３及び図４はパチンコ機１０の主要な構成を展開して示す斜視図、図５はパチンコ機１０の背面図である。なお、図３では便宜上パチンコ機１０の遊技領域内の構成を省略している。
【００６７】
　
パチンコ機１０は、当該パチンコ機１０の外殻を形成する外枠１１と、この外枠１１に対して前方に回動可能に取り付けられた遊技機主部２１とを有する
　・・・略・・・
【００７１】
　
遊技機主部２１は、遊技機ベースユニット（本体枠又は内枠）２２と、その遊技機ベースユニット２２の前方に配置される遊技機前面ユニット（前面扉又は前枠）２３と、遊技機ベースユニット２２の後方に配置される裏パックユニット２４とを備えている。
　・・・略・・・
【００７７】
　
遊技機ベースユニット２２には、
遊技機前面ユニット２３が回動可能に支持されており、
　イ　「【０１１９】
　＜遊技機前面ユニット２３＞
　次に、遊技機前面ユニット２３の構成について説明する。図１１は遊技機前面ユニット２３の正面図、図１２は遊技機前面ユニット２３の一部の構成を分解して示す分解斜視図、図１３は遊技機前面ユニット２３の背面図である。
【０１２０】
　
遊技機前面ユニット２３は
その基礎となるベース部材としてのベース枠１５１を備えており、
　・・・略・・・
【０１３４】
　
ベース枠１５１において窓部１６１の下方には、上皿ユニット１８１及び下皿ユニット１８２が設けられている
　ウ　「【図３】
　　　
」
（３）上記（１）及び（２）からみて、次の事項が周知といえる。
「遊技盤が装着される本体枠に対して回動開閉する扉枠に、上皿及び下皿を設けた遊技機。」（以下「周知技術」という。）
第５　対比
　本願発明と引用発明を対比する。
１　特定事項Ａについて
　引用発明の「遊技領域３１を有する遊技盤３０」は、本願発明の「所定の遊技が行われる遊技領域が形成される遊技盤」に相当するから、引用発明のａは、本願発明の特定事項Ａに相当する。
２　特定事項Ｂについて
　引用発明の「遊技盤３０が交換可能に配設されている前面枠４」は、本願発明の「前記遊技盤が装着される本体枠」に相当するから、引用発明のｂは、本願発明の特定事項Ｂに相当する。
３　特定事項Ｃについて
　引用発明の「前面枠４に開閉自在に取り付けられ、遊技盤３０の前面を覆うクリア部材５ａを備えたクリア部材保持枠５」は、本願発明の「前記本体枠に開閉可能に設けられる扉枠」に相当するから、引用発明のｃは、本願発明の特定事項Ｃに相当する。
４　特定事項Ｄについて
　引用発明の「遊技球」及び「上皿」は、それぞれ本願発明の「遊技媒体」及び「上皿本体」に相当する。
　そして、引用発明のｄは、クリア部材保持枠５（扉枠）の下部であって、前面枠４（本体枠）の下部に設置される上皿ユニット１０に形成されている遊技球（遊技媒体）を貯留可能な上皿１１（上皿本体）を備えるというものである。
　そうすると、引用発明のｄと、本願発明の特定事項Ｄとは、「前記遊技領域で遊技を行うための遊技媒体が貯留される上皿本体」で一致する。
５　特定事項Ｅについて
　引用発明の「底部」、「側壁」、「上皿１１から流下してきた遊技球が供給されるための球出口１５ｄ」及び「下皿１５」は、それぞれ本願発明の「底壁部」、「立壁部」、「所定の供給口」及び「下皿本体」に相当する。
　そして、引用発明のｅにおいて、「下皿１５」（下皿本体）は、底部（底壁部）と側壁（立壁部）とを有し、遊技球（遊技媒体）を貯留可能であり、上皿１１から流下してきた遊技球が供給されるための球出口１５ｄが形成されているから、引用発明のｅと、本願発明の特定事項Ｅとは、「底壁部と立壁部とで貯留領域を形成し、所定の供給口から遊技媒体が前記貯留領域へ流入可能に」「設けられる下皿本体」で一致する。
６　特定事項Ｅ１ないしＥ３、Ｅ６について
　引用発明のｅ１−ｅ３、ｅ６において、下皿１５（下皿本体）の右端部分がフレームベース１５１の垂下部１５１ｃにより遮蔽されているから、下皿１５（下皿本体）の右端部分、すなわち左端部分の反対側端における底部と側壁は遊技機前方に臨まないものといえる。そうすると、引用発明の「『下皿１５の右端部分』の『底部』」、「『下皿１５の右端部分』の『側壁』」及び「下皿１５の右端部分」は、それぞれ本願発明の「端部底壁部」、「端部立壁部」及び「第２下皿部」に相当する。
　また、引用発明において、下皿１５（下皿本体）の右端部分以外の部分は、フレームベース１５１の垂下部１５１ｃにより遮蔽されていないから、クリア部材保持枠５（扉枠）前方に臨んで、遊技者が遊技機前方から視認容易な領域が形成されているといえる。そうすると、引用発明の「『下皿１５の右端部分』以外の部分」は、本願発明の「第１下皿部」に相当する。
　してみると、引用発明のｅ１−ｅ３、ｅ６と、本願発明の特定事項Ｅ２とは、「前記第１下皿部は、」「前記扉枠前方に臨んで、」「遊技者が遊技機前方から視認容易な領域が形成され、」で一致し、引用発明のｅ１−ｅ３、ｅ６と、本願発明の特定事項Ｅ３とは、「前記第２下皿部における前記第１下皿部と反対側端の端部底壁部および端部立壁部は、」「遊技機前方に臨まないように構成され、」で一致する。
　以上のとおり、引用発明のｅ１−ｅ３、ｅ６において、下皿１５（下皿本体）が下皿１５の右端部分（第２下皿部）と該右端部分以外の部分（第１下皿部）とで一体的に設けられていることが明らかであるから、引用発明のｅ１−ｅ３、ｅ６は、本願発明の「Ｅ１　前記下皿本体は、第１下皿部と前記第１下皿部と一体的に設けられる第２下皿部とを有し、」との特定事項を備えるといえる。
７　特定事項Ｅ４について
　引用発明の「球抜き穴１５ａ」は、本願発明の「下皿球抜き孔」に相当する。
　引用発明のｅ４、ｅ５は、下皿１５（下皿本体）の底部（底壁部）には、側壁（立壁部）と接しない位置に球抜き穴１５ａ（下皿球抜き孔）が形成されるのであるから、本願発明の特定事項Ｅ４に相当する構成を備える。
８　特定事項Ｅ５について
　引用発明ｅ４、ｅ５は、下皿１５の底部が各側壁の箇所から球抜き穴１５ａ（下皿球抜き孔）に向かって傾斜しているから、下皿１５の右端部分の底部（端部底壁部）についても、球抜き穴１５ａ（下皿球抜き孔）に向かって下り傾斜する傾斜底面となっていることは明らかである。
　そうすると、引用発明のｅ４、ｅ５は、本願発明の「Ｅ５　前記第２下皿部における前記第１下皿部と反対側の前記端部底壁部には、前記下皿球抜き孔方向へ下り傾斜する傾斜底面が形成され、」との特定事項を備える。
９　特定事項Ｅ６について
　上記６で示したように、引用発明のｅ１−ｅ３、ｅ６において、下皿１５の右端部分の側壁（端部立壁部）は、フレームベース１５１の垂下部１５１ｃにより遮蔽されているから、遊技機前方に臨まないものである。
　本願発明の特定事項Ｅ６の「露出」が、その文言のどおり、「あらわに、むき出しになること。むき出しにすること。[株式会社岩波書店 広辞苑第六版]」であると解されることからみて、引用発明の下皿１５の右端部分の側壁（端部立壁部）は、下皿１５の遊技球が貯留される内面側及び該内面側の反対側の面である外面側のうち、いずれの面も、遊技機外部に露出しないように構成されているといえる。
　してみると、引用発明のｅ１−ｅ３、ｅ６と、本願発明の特定事項Ｅ６とは、「前記端部立壁部の前記貯留領域側と反対側の面は」「遊技機外部に露出しないように構成されている」で一致する。
１０　特定事項Ｆについて
　引用発明の「遊技機１」は、本願発明の「遊技機」に相当するから、引用発明のｆは、本願発明の特定事項Ｆに相当する。
１１　上記１ないし１０からみて、本願発明と引用発明とは、
「Ａ　所定の遊技が行われる遊技領域が形成される遊技盤と、
　Ｂ　前記遊技盤が装着される本体枠と、
　Ｃ　前記本体枠に開閉可能に設けられる扉枠と、
　Ｄ’前記遊技領域で遊技を行うための遊技媒体が貯留される上皿本体と、
　Ｅ’底壁部と立壁部とで貯留領域を形成し、所定の供給口から遊技媒体が前記貯留領域へ流入可能に設けられる下皿本体と、
　を備え、
　Ｅ１　前記下皿本体は、第１下皿部と前記第１下皿部と一体的に設けられる第２下皿部とを有し、
　Ｅ２’前記第１下皿部は、前記扉枠前方に臨んで、遊技者が遊技機前方から視認容易な領域が形成され、
　Ｅ３’前記第２下皿部における前記第１下皿部と反対側端の端部底壁部および端部立壁部は、遊技機前方に臨まないように構成され、
　Ｅ４　前記底壁部のうちの前記立壁部と接しない位置に、前記下皿本体から遊技球を下方へ排出させる下皿球抜き孔が形成され、
　Ｅ５　前記第２下皿部における前記第１下皿部と反対側の前記端部底壁部には、前記下皿球抜き孔方向へ下り傾斜する傾斜底面が形成され、
　Ｅ６’前記端部立壁部の前記貯留領域側と反対側の面は遊技機外部に露出しないように構成されている
　Ｆ　遊技機。」である点で一致し、以下の点で相違する。
・相違点１（特定事項Ｄ、Ｅ）
「上皿本体」及び「下皿本体」が、
　本願発明では、「前記扉枠に設けられ」ているのに対し、
　引用発明では、クリア部材保持枠５（扉枠）でなく、前面枠４（本体枠）に設けられている点。
・相違点２（特定事項Ｅ２、Ｅ３、Ｅ６）
「遊技者が遊技機前方から視認容易な領域が形成され」た「第１下皿部」、及び、「端部底壁部および端部立壁部」が「遊技機前方に臨まないように構成され」た「第２下皿部」に関して、
　本願発明では、「前記第１下皿部は、前記扉枠の開閉状態にかかわらず前記扉枠前方に臨んで、少なくとも前記扉枠が閉じられた状態では遊技者が遊技機前方から視認容易な領域が形成され」、「前記第２下皿部における前記第１下皿部と反対側端の端部底壁部および端部立壁部は、前記扉枠の開閉状態にかかわらず遊技機前方に臨まないように構成され」、「前記端部立壁部の前記貯留領域側と反対側の面は前記扉枠の開閉状態にかかわらず遊技機外部に露出しないように構成されている」のに対し、
　引用発明では、クリア部材保持枠５（扉枠）が閉じられた状態では、下皿１５の右端部分を除いた左部分（第１下皿部）は、クリア部材保持枠５（扉枠）前方に臨んで、遊技者が遊技機１の前方から視認容易な領域が形成され、右端部分（第２下皿部）における左部分（第１下皿部）と反対側端の底壁部（端部底壁部）および立壁部（端部立壁部）は、遊技機１の前方に臨まないように構成され、前記立壁部の貯留領域側と反対側の面は遊技機１の外部に露出しないように構成されているものの、本願発明のように「前記第１下皿部は、前記扉枠の開閉状態にかかわらず前記扉枠前方に臨んで、少なくとも前記扉枠が閉じられた状態では遊技者が遊技機前方から視認容易な領域が形成され」、「前記第２下皿部における前記第１下皿部と反対側端の端部底壁部および端部立壁部は、前記扉枠の開閉状態にかかわらず遊技機前方に臨まないように構成され」、「前記端部立壁部の前記貯留領域側と反対側の面は前記扉枠の開閉状態にかかわらず遊技機外部に露出しないように構成されている」という特定がない点。
第６　判断
１　相違点１及び２について
　上記相違点１及び２は関連するため、まとめて検討する。
（１）周知技術（上記第４の２（３））を再掲すると、「遊技盤が装着される本体枠に対して回動開閉する扉枠に、上皿及び下皿を設けた遊技機。」というものである。周知技術の「本体枠」、「扉枠」、「上皿」及び「下皿」は、それぞれ本願発明の「本体枠」、「扉枠」、「上皿本体」及び「下皿本体」に相当する。
（２）引用発明と周知技術とは、遊技盤を設けた本体枠、扉枠、上皿及び下皿を設けた遊技機という技術分野で共通するから、引用発明及び周知技術に接した当業者であれば、周知技術を引用発明に適宜適用し得るものである。
　そして、引用発明は、上皿１１（上皿本体）及び下皿１５（下皿本体）ではないが、遊技装置１００が前面枠４（本体枠）に取り付けられている態様に換えて、クリア部材保持枠５（扉枠）に取り付けられる態様としてもよいものであるから、遊技機の前面側を構成する部材の取付対象を前面枠４（本体枠）とするか、それともクリア部材保持枠５（扉枠）とするか、当業者が必要に応じ適宜選択できる。
　そうすると、周知技術も併せて考慮すれば、引用発明において、上皿１１（上皿本体）及び下皿１５（下皿本体）を、クリア部材保持枠５（扉枠）に設けるものとすることは、当業者が適宜なし得たことである。
　そして、このように、上皿１１（上皿本体）及び下皿１５（下皿本体）をクリア部材保持枠５（扉枠）に設ける構成とした場合、引用発明は、クリア部材保持枠５（扉枠）に、下皿１５（下皿本体）を覆う部分となるカバーユニット１５０におけるフレームベース１５１の垂下部１５１ｃが形成されているものであるから、垂下部１５１ｃに覆われる下皿１５（下皿本体）の右端部分（第２下皿部）の底部（端部底壁部）及び側壁（端部立壁部）は、クリア部材保持枠５（扉枠）の開閉にかかわらず、遊技機前方に臨まないように構成され、下皿１５の右端部分（第２下皿部）の側壁（端部立壁部）のうち、遊技球が貯留される内面側の反対側の面である外面側（貯留領域側と反対側の面）は、クリア部材保持枠５（扉枠）の開閉状態にかかわらず遊技機外部に露出しないものとなり、下皿１５の右端部分以外の部分（第１下皿部）は、クリア部材保持枠５（扉枠）が開いた状態でも、クリア部材保持枠５（扉枠）前方に臨んで、少なくともクリア部材保持枠５（扉枠）が閉じられた状態では遊技者が遊技機前方から視認容易な領域が形成されるものとなる。
（３）したがって、引用発明において、上記相違点１及び２に係る本願発明の特定事項のようになすことは、当業者が周知技術に基づいて適宜なし得たことである。
２　本願発明の奏する効果は、引用発明の奏する効果及び周知技術の奏する効果から、予測することができた程度のものである。
３　小括
　以上のとおり、本願発明は、引用発明及び周知技術に基づいて、当業者が容易に発明をすることができたものである。
４　請求人の主張について
（１）請求人は、審判請求書の「４．本願発明が特許されるべき理由」において、概ね以下のとおり主張している。
「すなわち、引用文献１は、「下皿の一部を遮蔽する」にあたり、「前面枠４に取り付けられた下皿１５の前面の一部を、クリア部材保持枠５に取り付けられたフレームベース１５１（カバーユニット１５０）の垂下部１５１ｃで遮蔽するような構成」としているのであり、下皿を本体枠に設けることは周知であることから引用文献１の下皿１５の構成に対して違和感もないので、「上皿及び下皿を遊技板が装着される本体枠に対して回動開閉する扉枠に設けた遊技機」が周知であるとしても、その周知技術が「下皿の一部を遮蔽する」思想を有していない以上、引用文献１の下皿１５をクリア部材保持枠５に取り付けて下皿１５の一部をクリア部材保持枠５（垂下部１５１ｃ）で遮蔽するような構成に改変する動機付けにはならないものと思料いたします。
　・・・略・・・
　しかしながら、引用文献１の段落［０３３３］の記載によれば、前面枠４及びクリア部材保持枠５の両方が閉じられている場合に、遊技装置１００がフレームベース１５１及びカバー部材１５２によって覆われて保護された状態となることが記載されているものの、「下皿１５における右方向端部の立壁部の貯留領域側と反対側の面」がフレームベース１５１及びカバー部材１５２によって覆われることは記載も示唆もされておりません。
　そして、図４６をみても、「下皿１５における右方向端部の立壁部の貯留領域側と反対側の面」がフレームベース１５１及びカバー部材１５２によって覆われているか否か定かではありません。
　むしろ図４３を参酌すると「下皿１５における右方向端部の立壁部」はカバーユニット１５０の垂下部１５１ｃの右方向端部とほぼ同じ位置にあるものと看取できます。
　すなわち、引用文献１の「下皿１５における右方向端部の立壁部の貯留領域側と反対側の面」はクリア部材保持枠５の開閉状態にかかわらず遊技機外部に露出するように構成されているものと理解するのが合理的であると思料いたします。
　・・・略・・・
　したがって、相違点３に係る本願の特定事項である「前記端部立壁部の前記貯留領域側と反対側の面は前記扉枠の開閉状態にかかわらず遊技機外部に露出しないように構成されている」ことを引用文献１には記載も示唆もされていないものと思料いたします。」
（２）上記主張について検討する。
　ア　上記１（２）で示したとおり、当業者であれば「上皿及び下皿を遊技板が装着される本体枠に対して回動開閉する扉枠に設けた遊技機」という周知技術を引用発明に適宜適用することができるものである。
　イ　上記第５の９で示したように、「露出」が「あらわに、むき出しになること。むき出しにすること。」であると解されることからみて、引用発明の下皿１５の右端部分の側壁（端部立壁部）は、下皿１５の遊技球が貯留される内面側及び該内面側の反対側の面である外面側のうち、いずれの面も、遊技機外部に露出しない、すなわち、むき出しになっていないように構成されているといえる。
　ウ　以上のとおり、請求人の上記主張は採用できない。
第７　むすび
　以上のとおりであるから、本願発明は、当業者が引用発明及び周知技術に基いて容易に発明をすることができたものであるから特許法第２９条第２項の規定により特許を受けることができない。
　よって、結論のとおり審決する。